(57)【要約】【課題】  監視領域にて異常が発生している際に、特別な機器を所持することなく、現在の各種センサの検出状態を監視領域に入る前に確認できる警備システムの提供。【解決手段】  監視領域の適所に設置され所定の事象を検出する複数のセンサと、前記センサからの検出信号に基づき前記センサにおける現在の検出状態を前記監視領域の周辺から視認可能な位置に設置した外部表示器に表示させる警備装置を具備する警備システム。【選択図】  図１
2008250745.tif 000002
【特許請求の範囲】
【請求項１】
監視領域の適所に設置され所定の事象を検出する複数のセンサと、前記センサからの検出信号に基づき前記センサにおける現在の検出状態を前記監視領域の周辺から視認可能な位置に設置した外部表示器に表示させる警備装置を具備することを特徴とした警備システム。
【請求項２】
前記警備装置は、少なくとも前記監視領域内における人の存否状態を検出するセンサの検出信号に基づいて前記外部表示器に現在の人の存否状態を表示させる請求項１に記載の警備システム。
【請求項３】
前記警備装置は、少なくとも前記監視領域に出入可能な外周部分の事象を検出するセンサの検出信号に基づいて前記外部表示器に現在の外周部分の事象を表示させる請求項１または請求項２に記載の警備システム。
【請求項４】
前記警備装置は、前記センサの検出信号を受信すると遠隔の警備センタに通報する通報手段を更に有し、
前記警備装置は前記通報手段が通報した後であって異常通報への対処が終了するまでの間のみ前記現在の検出状態を前記外部表示器に表示させる請求項１乃至請求項３に記載の警備システム。
【発明の詳細な説明】
【技術分野】
【０００１】
本発明は、ビル、家屋、工場などの監視領域を各種センサの検出信号に基づいて監視する警備システムに関し、特に異常事態が発生した場合にビル等の内部に立ち入ることなく、現時点における各種センサの検出状態を対処者が知ることができる警備システムに関する。
【背景技術】
【０００２】
従来、特許文献１に記載されているような警備システムが提案されている。かかる警備システムは、監視領域内の状態を検出し検出信号を送信する各種センサと、各種センサからの検出信号を受信し監視領域の現状態と検出信号の種別に応じて異常信号を警備センタに通報するコントローラと、警備センタの指示によって異常発生している監視領域に対処する対処者が所持する携帯型確認装置とから構成されている。
【０００３】
従来の警備システムは、対処者が異常の発生している監視領域に到着すると、コントローラと携帯型確認装置の間で無線通信を行なって監視領域における異常発生の履歴情報を取得し、携帯型確認装置にて監視領域の状況を把握していた。
【特許文献１】特開平１１−８６１６４号公報
【発明の開示】
【発明が解決しようとする課題】
【０００４】
しかしながら、対処者が携帯型確認装置を所持しないままに対処する場合がある。また、監視領域にて異常が発生しているときに、家人や勤務者などが監視領域に入ろうとする場合がある。かかる場合、対処者等は、監視領域内の現在状態を知ることができず、現時点で監視領域内に賊が存在する可能性を把握できないままに異常に対処することになる。このため、携帯型確認装置を所持しない対処者等は監視領域の状態を慎重に確認しつつ、対処を行わなければならず迅速な対応が困難となっていた。
【０００５】
そこで、本発明は、監視領域にて異常が発生している際に、特別な機器を所持することなく、現在の各種センサの検出状態を監視領域に入る前に確認できる警備システムの実現を目的とする。
【課題を解決するための手段】
【０００６】
かかる課題を解決するために、本発明は、監視領域の適所に設置され所定の事象を検出する複数のセンサと、前記センサからの検出信号に基づき前記センサにおける現在の検出状態を監視領域の周辺から視認可能な位置に設置した外部表示器に表示させる警備装置を具備する警備システムを提供する。
かかる構成によれば、対処者や家人が外部表示器を見ることにより、現在の監視領域の状態を把握することができる。このため、例えば、対処者が監視領域内に入るか否かの判断や注意すべき状況を推測することが可能となる。
【０００７】
また、本発明の好ましい態様として、警備装置が、少なくとも前記監視領域内における人の存否状態を検出するセンサの検出信号に基づいて前記外部表示器に現在の人の存否状態を表示させる。また、警備装置が少なくとも前記監視領域に出入可能な外周部分の事象を検出するセンサの検出信号に基づいて前記外部表示器に現在の外周部分の事象を表示させる。
【０００８】
また、本発明の好ましい態様として、警備装置は前記通報手段が通報した後であって異常通報への対処が終了するまでの間のみ前記現在の検出状態を前記外部表示器に表示させる。
かかる構成によれば、監視領域にて異常が発生しているときに限り、外部表示器で監視領域内の状況を確認できるので、正常状態においては、逆に他人が外部から監視領域内の状態を知ることができなくなる。これによって、監視領域内のプライバシーを保全できる。
【発明の効果】
【０００９】
対処者や家人が、監視領域の現状態を外部からリアルタイムで把握することができる。
【発明を実施するための最良の形態】
【００１０】
以下、図面を参照して、本発明の実施の形態である警備システムについて説明する。図１は、警備システムの全体構成を示すブロック図である。警備システムは、監視領域内に設置された警備装置１、センサの検知状態等を監視領域外にて視認できるように設置された外部表示器２、監視領域の所定の事象を検出する各種センサ３、および図示していない警備センタから構成されている。
【００１１】
センサ３は、監視領域に出入可能な外周部分である扉や窓等の開閉状態といった特定の事象を検出するマグネットセンサ・赤外線センサ・超音波センサ・画像センサ等の外周センサ（Ｓ１外周、Ｓ２外周、Ｓ６外周）と、監視領域内における人の在否状態を検出するパッシブ型の赤外線センサ・超音波センサ・アクティブ型赤外線センサ・画像センサ等の内部センサ（Ｓ１内部、Ｓ２内部、Ｓ３内部、Ｓ４内部、Ｓ５内部、Ｓ６内部）がある。
なお、本実施の形態では、扉等の開閉状態および人の在否状態の事象をセンサ３にて検出する例にて説明しているが、これに限られるものではなく、例えば、火災の発生検出のために火災センサ、ガス漏れの検出のためのガスセンサ、水漏れ状態の検出のための水漏れセンサなど、種々の事象の検出するセンサを用いても良い。
【００１２】
また、センサ３は、事象の状態変化を検出すると、警備装置１に対してその検出信号を無線にて送信する。センサ３の種類によっては、事象の検出状態を常時または定期的に送信するもの、事象の検出状態が変化した場合のみ送信するもの、或いは検出対象の事象を検出したときのみ検出信号を送信するものなど種々使用される。具体的には、扉の開閉を検出するセンサ３は、扉が閉状態から開状態に変化すれば扉開信号を送信し、扉開状態から扉閉状態に変化すれば扉閉信号を送信する。また、室内の人の在否を検出するセンサ３では、パッシブ型の赤外線センサを用いて、人体を検出するたびに検出信号を送信する。また、ガスセンサであれば、警備装置１と有線にて接続し常に正常か異常かを電圧信号にて送信する。なお、これらの検出状態を警備装置１にて把握する方法は、従来から警備システムにて一般に行われていることなので、詳しい説明は省略する。
【００１３】
次に、図３を参照して、外部表示器２について説明する。図３は、外部表示器２の構成を示すブロック図である。外部表示器２は、監視領域外側の周辺から対処者や家人等が視認できる位置に設置されており、警備装置１からの制御信号に基づいて誘導表示灯２２、検知表示灯２３を点灯／消灯／点滅などして、対処者等に監視領域におけるセンサ３の検出状態を表示する。
【００１４】
すなわち、外部表示器２は、警備装置１と接続される入力部２１と、監視領域にて異常が発生している場合に対処者を監視領域に誘導するための目印となる誘導表示灯２２、センサ３の現在の検出状況を対処者等に知らせる検知表示灯２３、入力部２１から入力された警備装置１からの制御信号に基づき誘導表示灯２２および検知表示灯２３を制御する表示器制御部２０から構成されている。
【００１５】
更に、検知表示灯２３は、センサ３のうち内部センサであるＳ１内部、Ｓ２内部・・・Ｓ６内部の検出状態を示す赤色ＬＥＤ２３１と、センサ３のうち外周センサであるＳ１外周、Ｓ２外周、Ｓ６外周の検出状態を示す青色ＬＥＤから構成されている。
【００１６】
表示器制御部２０は、警備装置１から誘導表示灯２２の点灯制御信号を受信すると誘導表示灯２２を点灯させ、異常復旧信号を受信すると誘導表示灯２２を消灯させる。また、警備装置１から赤点滅制御信号を受信すると、赤色ＬＥＤ２３１の点滅を開始し、所定時間（例えば１分間）経過すると消灯させる。更に、警備装置１から青点滅制御信号を受信すると、青色ＬＥＤ２３２の点滅を開始し、消灯制御信号を受信すると消灯させる。
【００１７】
本実施の形態では、誘導表示灯２２、検知表示灯２３を異なるハードウェアとして記載しているが、一つのハードウェアにて点灯・時間間隔の異なる点滅・表示色・ブザーとの併用などの手法を用いて、それぞれの状態を識別できるように表示してもよい。
【００１８】
次に、警備装置１について、図２を参照して説明する。図２は、警備装置１の機能構成を示すブロック図である。警備装置１は、操作部１１、表示部１２、記憶部１３、通報部１４、センサＩ/Ｆ１５、カードリーダ１６、外部表示器Ｉ/Ｆ１７、これらの各部を制御する制御部１０から構成されている。
【００１９】
操作部１１は、キースイッチからなり、警備セットや警備解除のための操作や異常状態の復旧操作を家人等が行う。
【００２０】
表示部１２は、ＬＣＤやスピーカ等からなり、現在の警備状態、異常状態、警備装置１の使用ガイドなどを表示またはアナウンスする。ここで、警備状態には、警備セットモードと、警備解除モードがある。警備解除モードとは、火災センサ、ガスセンサの検出信号や非常通報操作があった場合などを除いて、基本的に警備装置１が警備センタに異常通報しないモードである。警備セットモードは、センサ３から検出信号を警備装置１が受信すると、異常信号を警備センタに通報するモードである。
【００２１】
また、異常状態とは、監視領域が正常でない状態をいい、警備セットモード中に扉が開いた場合、警備セットモード中に監視領域内に人を検出した場合、警備状態にかかわらず火災センサが検出した場合などの状態のことである。
【００２２】
記憶部１３は、ＲＯＭ／ＲＡＭ等からなり、警備装置１の動作に必要な各種プログラム、現在の警備モード、警備センタの電話番号、センサ情報などを記憶している。ここで、センサ情報について、図４を参照して説明する。図４は、警備装置１の記憶部１３に記憶されているセンサ情報を示しており、警備装置１が管理している全てのセンサの情報である。センサ情報は、警備装置１が監視しているセンサ３を特定するセンサＮｏ、センサ３が外周センサ／内部センサかを識別するセンサ種別、センサ３の監視領域における設置されているエリアを示す設置エリア、センサ３の発報履歴情報である。
【００２３】
例えば、センサＮｏ．001は、エリア監視領域に出入する扉や窓等の外周部分を監視するセンサ「外周」であり、設置エリアが「第１エリア」、発報履歴として19：02、19：20の２回発報していることを示している。このセンサＮｏ．001として図１では、センサ３のうち「Ｓ１外周」が該当している。なお、発報履歴は、警備セットモード中にセンサ３が検出した場合の情報が随時記憶され、一旦警備解除モードとなり再度警備セットモードになった時点でクリアされる。
【００２４】
通報部１４は、警備センタと通信回線を介して接続され、警備状態の移行情報、監視領域内にて発生した異常情報などを警備センタに所定の通信プロトコルにて通報する。
【００２５】
センサＩ/Ｆ１５は、アンテナ・有線接続端子等を含み、センサ３からの検出信号を受信する。本実施の形態では、センサ３の全てが無線信号にて検出信号を送信するので、有線接続端子は不要であるが、火災センサやガスセンサなどの有線接続タイプのセンサを使用するときに必要となる。
【００２６】
カードリーダ１６は、磁気カードやＩＣカード等のＩＤカードのリーダであって、警備装置１を警備解除モードから警備セットモードへの移行、警備セットモードから警備解除モードへの移行、対処者が異常状態を復旧する際など、警備装置１の操作者が家人または対処者であることを認証するためのＩＤをＩＤカードから読み取る。なお、ＩＤカードは、本警備装置１を操作できる権限を持つ人が所持している。
【００２７】
外部表示器Ｉ/Ｆ１７は、外部表示器２と接続されており、外部表示器２に対して点灯／消灯／点滅等の表示制御を行うインターフェースである。
【００２８】
次に、このように構成された警備システムの全体動作を説明する。今、警備モードを警備解除モードから警備セットモードに移行させたときの動作について図５を参照して説明する。なお、警備解除モードから警備セットモードへの移行は、家人が監視領域内の扉や窓等の戸締りをし、操作部１１にて所定の警備セット操作をキー入力する。この際に、扉等が開いていれば、警備セットモードへの移行は出来ない旨および戸締りが出来ていないエリアを表示部１２に表示する。扉が開いているか否かは、センサ３から受信した検出信号によって判断する。次に、扉等が開いていなければ、表示部１２にＩＤカードの操作を促す表示をする。この表示を見て、家人等は、所持しているＩＤカードのＩＤをカードリーダ１６から読み取らせる。警備装置１では、予め記憶部１３に記憶している登録ＩＤと、読み取ったＩＤとを照合し、一致していれば所定時間後に警備セットモードに移行させて、記憶部１３に警備セットモード中を記憶する。また、警備セットモードになった旨を通報部１４から警備センタに通報する。家人は、この所定時間の内に出入口から退出することになる。
【００２９】
このようにして、警備セットモードに移行された後の処理について、図５を参照し詳細に説明する。図５は、警備装置１の警備セットモード時における処理フローである。
先ず、警備セットモードにおいては、センサ３からの検出信号を受信したか否かを判定する（ステップＳ１）。センサ３からの検出信号を受信していなければ、ステップＳ１２へ進み記憶部１３に異常状態が保持されているか否か判断する。異常状態が保持されていれば、ステップＳ６に進み、異常復旧操作がなされたか判断する。異常状態が保持されていなければステップＳ９に進み解除操作がなされたか判断する。
【００３０】
他方、ステップＳ１にてセンサ３からの検出信号を受信していれば、記憶部１３にて、異常状態が保持されているか否か判断する（ステップＳ２）。異常状態が保持されていなければ、警備センタへ通報部１４から異常信号を送信するとともに、記憶部１３に異常状態を保持させる（ステップＳ３）。また、警備装置１は、異常状態を保持した際に、ステップＳ１にて受信したセンサ３の検出信号からセンサＮｏを特定し、センサ情報の発報履歴に受信時刻を記憶する。かかる発報履歴の記録処理は検出信号の受信時に行ってもよい。
【００３１】
次に、ステップＳ４では、外部表示器Ｉ/Ｆ１７から外部表示器２に対して誘導表示灯２２を点灯させる制御信号を送信し、外部表示器２の誘導表示灯２２を点灯させる。これにより、対処者は、誘導表示灯２２を目印として対処時に異常状態にある監視領域を監視領域の外から見つけることができる。
【００３２】
ステップＳ５では、外部表示器２の検知表示灯２３を制御する。ここで、図６を参照し、検知表示灯２３の制御処理について説明する。先ず、ステップＳ６１では、センサ３から受信した検出信号からセンサＮｏを判定する。そして、記憶部１３に記憶しているセンサ情報を参照し、検出信号を送信してきたセンサ３が内部センサか否か判定する（ステップＳ６２）。
【００３３】
内部センサであれば、赤色ＬＥＤ２３１を１分間だけ点滅させるように制御信号を外部表示器Ｉ/Ｆ１７から外部表示器２へ送信する。外部表示器２は、当該制御信号を受信すると、赤色ＬＥＤ２３１を１分間の点滅制御を実行する（ステップＳ６３）。この外部表示器２の赤色ＬＥＤの点滅表示を対処者や家人が見ることにより、現在監視領域内に人が存在していることを、監視領域の外から判断することができる。
【００３４】
ステップＳ６２にて内部センサでないと判断すると、青色ＬＥＤ２３２を点滅させるように制御信号を外部表示器Ｉ/Ｆ１７から外部表示器２へ送信する。外部表示器２は、当該制御信号を受信すると、青色ＬＥＤ２３１の点滅制御を実行する（ステップＳ６４）。この外部表示器２の青色ＬＥＤの点滅表示を対処者や家人が見ることにより、現在監視領域の窓や扉が開いた状態にあることを、監視領域の外から判断することができる。なお、扉の開閉を検出するセンサの場合は、扉が開いた旨の検出信号を受信していれば、同じセンサ３からの扉が閉じた旨の検出信号を受信するか、後述するステップＳ８、ステップＳ１１において外部表示器消灯制御があるまで点滅表示を維持する。
【００３５】
本実施の形態では、内部センサと外周センサの２種類しかないので、内部センサでないと判断した場合は、外周の扉等の開閉状態を検出する外周センサとの判断になる。センサ３の種類が他にある場合は、記憶部３のセンサ種別に応じて、外部表示器２を制御することになる。
【００３６】
図５に戻って、検知表示灯制御が終了すると、ステップＳ６において、異常復旧操作がされたか否か判断する。異常復旧操作とは、対処者が監視領域での異常発生の原因を突き止めて、監視領域の安全を確保した場合に行われる操作である。具体的には、操作部１１にて異常復旧のためのキー入力操作を行い、最後に対処者が所持しているＩＤカードをカードリーダ１６から読み込ませる。ＩＤカードのＩＤが予め記憶されている異常を復旧させる資格を有するＩＤと一致しているかを判断する。
【００３７】
異常状態を復旧してよい場合は、警備センタへ通報部１４から異常復旧信号を通報する（ステップＳ７）。そして、外部表示器Ｉ/Ｆ１７から外部表示器２の全ての表示を消灯するとともに、記憶部１３に保持している異常状態を解除する（ステップＳ８）。
【００３８】
次に、解除操作がなされたかを判断する（ステップＳ９）。解除操作とは、監視領域に入ることを許可されている家人等が所持しているＩＤカードをカードリーダ１６に読み込ませる操作であって、ＩＤカードのＩＤが予め記憶されている資格を有するＩＤと一致していることを持って解除操作があったと判断される。
【００３９】
解除操作があった場合は、警備センタへ通報部１４から解除信号を通報するとともに、警備状態を警備セットモードから警備解除モードに移行させる（ステップＳ１０）。そして、外部表示器Ｉ/Ｆ１７から外部表示器２の全ての表示を消灯するとともに、記憶部１３に保持している異常状態を解除する（ステップＳ１１）。なお、外部表示器２が表示制御されておらず異常状態も保持されていなければステップＳ１１の処理をスキップしてもよい。
【００４０】
他方、ステップＳ９にて解除操作がない場合は、ステップＳ１に戻り、前述の処理を繰り返す。
【００４１】
このように構成された警備システムの動作例を説明する。今、監視領域が警備セットモードで異常解除状態（異常が保持されていない状態）であったとする。先ず、監視領域に賊がエリア１の窓から侵入し、エリア１・エリア６を通ってエリア３に潜んでいる場合について説明する。
【００４２】
先ず、エリア１に設置されたセンサＮｏ．００１の「Ｓ１外周」センサ３が窓の開を検出すると、警備装置１に検出信号を送信する。警備装置１はこの検出信号を受信すると、図５のステップＳ１にてセンサ検知と判断し、ステップＳ２へ進む。ステップＳ２においては、異常解除状態なのでステップＳ３に進み、警備センタへ異常信号を通報するとともに、記憶部１３に異常状態を保持させる。そして、ステップＳ４にて誘導表示灯２２を点灯させ検知表示灯制御（ステップＳ５）に進む。
【００４３】
ステップＳ５では、記憶部１３のセンサ情報を参照すると、センサＮｏ．００１が外周センサであるので、外部表示器２に対して青色ＬＥＤ２３２を点滅制御するとともに、記憶部１３のセンサ情報の発報履歴として、現在時刻１９：０２を記憶させる。このとき、外部表示器２では、誘導表示灯２２が点灯しており、検知表示灯２３の青色ＬＥＤ２３２が点滅状態となる。この表示は、対処者や家人が監視領域内に入ることなく確認できる。
【００４４】
賊の移動に伴って、エリア１のセンサ３（Ｎｏ．００２：Ｓ１内部）、エリア６のセンサ３（Ｎｏ．００９：Ｓ６内部）、エリア３のセンサ３（Ｎｏ．００５：Ｓ３内部）から順次検出信号が送信され、警備装置１にて受信する。これらのセンサ３からの検出信号に応じて、順次図６に示す処理を行う。この処理の履歴をセンサ情報の履歴として図４に記載している。
【００４５】
このように賊が監視領域内を移動している最中に、対処者が監視領域に到着する。到着した対処者は、外部表示器２を見ると、誘導表示灯２２が点灯していることを先ず確認できる。この誘導表示灯２２の点灯を目印に、異常が発生している監視領域を特定する。
【００４６】
次に、外部表示器２の青色ＬＥＤ２３２が点滅している場合は、窓や扉などの外周部分が開いていると判断できる。また、赤色ＬＥＤ２３１が点滅している場合は、監視領域内に賊が潜んでいる可能性が高いとの判断になる。
【００４７】
例えば、対処者が、１９：１０に到着した場合は、誘導表示灯２２、赤色ＬＥＤ２３１および青色ＬＥＤ２３２の全てが点灯または点滅しているので、対処者は賊の存在を前提とした対処を行うことができる。
【００４８】
このように、対処者が監視領域に到着したときに、現時点のセンサ３の検知状態について外部表示器２を見て確認できるので、その後の対処が適切且つ迅速に行うことができる。
【図面の簡単な説明】
【００４９】
【図１】図１は、警備システムの全体構成を示すブロック図である。
【図２】警備装置１の機能構成を示すブロック図である。
【図３】外部表示器２の構成を示すブロック図である。
【図４】警備装置１の記憶部１３に記憶されているセンサ情報である。
【図５】警備装置１の警備セットモード時における処理フローである。
【図６】警備装置１における検知表示灯制御の処理フローである。
【符号の説明】
【００５０】
１    警備装置
２    外部表示器
３    センサ
【図１】
2008250745.tif 000003
【図２】
2008250745.tif 000004
【図３】
2008250745.tif 000005
【図４】
2008250745.tif 000006
【図５】
2008250745.tif 000007
【図６】
2008250745.tif 000008